【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
複数の光電変換素子が配列された撮像素子を有する撮像装置であって、
レンズアレイを備え前記撮像装置に着脱可能な撮影レンズから、前記撮影レンズの情報を取得する取得手段と、
前記撮影レンズが装着されている場合に、前記撮影レンズの情報に基づいた前記レンズアレイと前記撮像素子との距離になるように、前記レンズアレイを移動させる指示を行う制御手段とを有し、
前記レンズアレイと前記撮像素子との距離は、前記レンズアレイを構成する各レンズからの出射光が、前記撮像素子の２以上の所定の数の光電変換素子に入射されるように決定されることを特徴とする撮像装置。
【請求項２】
複数の光電変換素子が配列された撮像素子を有する撮像装置であって、
レンズアレイを備え前記撮像装置に着脱可能な撮影レンズから、前記撮影レンズの情報を取得する取得手段と、
前記撮影レンズが装着されている場合に、前記撮影レンズの情報に基づいた前記レンズアレイと前記撮像素子との距離になるように、前記撮像素子を移動させる指示を行う制御手段とを有し、
前記レンズアレイと前記撮像素子との距離は、前記レンズアレイを構成する各レンズからの出射光が、前記撮像素子の２以上の所定の数の光電変換素子に入射されるように決定されることを特徴とする撮像装置。
【請求項３】
前記制御手段はさらに、前記撮影レンズが装着されている場合に、前記撮影レンズの情報に基づいて絞り値を制御することを特徴とする請求項１または請求項２に記載の撮像装置。
【請求項４】
前記制御手段は、前記レンズアレイで隣接するレンズの出射光が前記撮像素子上において干渉しない値に前記絞り値を制御することを特徴とする請求項３に記載の撮像装置。
【請求項５】
前記制御手段が、前記レンズアレイを構成する各レンズからの出射光が入射される光電変換素子の数が一定になるように、前記距離を制御することを特徴とする請求項１から請求項４のいずれか１項に記載の撮像装置。
【請求項６】
前記制御手段は、レンズアレイを備えていない撮影レンズが装着されている場合には、前記距離の制御を行わないことを特徴とする請求項１から請求項４のいずれか１項に記載の撮像装置。
【請求項７】
複数の光電変換素子が配列された撮像素子を有する撮像装置に着脱可能な撮影レンズであって、
光軸に沿って移動可能なレンズアレイと、
前記撮像装置に前記撮影レンズの情報を送信する送信手段とを有し、
前記撮像装置に装着されている場合に、前記レンズアレイを構成する各レンズからの出射光が、前記撮像素子の２以上の所定の数の光電変換素子に入射されることを特徴とする撮影レンズ。
【請求項８】
絞りと、
前記撮像装置に装着されている場合に、前記レンズアレイで隣接するレンズの出射光が前記撮像素子上において干渉しないように、前記絞りを制御する制御手段と、をさらに有することを特徴とする請求項７に記載の撮影レンズ。
【請求項９】
複数の光電変換素子が配列された撮像素子を有する撮像装置であって、
レンズアレイを備え、前記撮像装置に着脱可能な撮影レンズから、前記撮影レンズの情報を取得する取得手段と、
撮影モードを設定する設定手段と、
前記撮影レンズが装着されている場合に、前記レンズアレイと前記撮像素子との距離が前記撮影モードに応じた距離になるように、前記レンズアレイを移動させる指示を行う制御手段とを有し、
前記制御手段は、前記レンズアレイを構成する各レンズからの出射光が、前記撮像素子の２以上の所定の数の光電変換素子に入射されるように、前記レンズアレイと前記撮像素子との距離を制御することを特徴とする撮像装置。
【請求項１０】
複数の光電変換素子が配列された撮像素子を有する撮像装置であって、
レンズアレイを備え、前記撮像装置に着脱可能な撮影レンズから、前記撮影レンズの情報を取得する取得手段と、
撮影モードを設定する設定手段と、
前記撮影レンズが装着されている場合に、前記レンズアレイと前記撮像素子との距離が前記撮影モードに応じた距離になるように、前記撮像素子を移動させる指示を行う制御手段とを有し、
前記制御手段は、前記レンズアレイを構成する各レンズからの出射光が、前記撮像素子の２以上の所定の数の光電変換素子に入射されるように、前記レンズアレイと前記撮像素子との距離を制御することを特徴とする撮像装置。
【請求項１１】
複数の光電変換素子が配列された撮像素子を有する撮像装置の制御方法であって、
レンズアレイを備え前記撮像装置に着脱可能な撮影レンズから、前記撮影レンズの情報を取得する取得ステップと、
前記撮影レンズが装着されている場合に、前記撮影レンズの情報に基づいた前記レンズアレイと前記撮像素子との距離になるように、前記レンズアレイを移動させる指示を行う制御ステップとを有し、
前記レンズアレイと前記撮像素子との距離は、前記レンズアレイを構成する各レンズからの出射光が、前記撮像素子の２以上の所定の数の光電変換素子に入射されるように決定されることを特徴とする撮像装置の制御方法。
【請求項１２】
複数の光電変換素子が配列された撮像素子を有する撮像装置の制御方法であって、
レンズアレイを備え前記撮像装置に着脱可能な撮影レンズから、前記撮影レンズの情報を取得する取得ステップと、
前記撮影レンズが装着されている場合に、前記撮影レンズの情報に基づいた前記レンズアレイと前記撮像素子との距離になるように、前記撮像素子を移動させる指示を行う制御ステップとを有し、
前記レンズアレイと前記撮像素子との距離は、前記レンズアレイを構成する各レンズからの出射光が、前記撮像素子の２以上の所定の数の光電変換素子に入射されるように決定されることを特徴とする撮像装置の制御方法。
【請求項１３】
複数の光電変換素子が配列された撮像素子を有する撮像装置の制御方法であって、
レンズアレイを備え前記撮像装置に着脱可能な撮影レンズから、前記撮影レンズの情報を取得する取得ステップと、
撮影モードを設定する設定ステップと、
前記撮影レンズが装着されている場合に、レンズアレイと前記撮像素子との距離が前記撮影モードに応じた距離になるように、前記レンズアレイを移動させる指示を行う制御ステップとを有し、
前記設定ステップでは、前記レンズアレイを構成する各レンズからの出射光が、前記撮像素子の２以上の所定の数の光電変換素子に入射されるように、前記レンズアレイと前記撮像素子との距離を制御することを特徴とする撮像装置の制御方法。
【請求項１４】
複数の光電変換素子が配列された撮像素子を有する撮像装置の制御方法であって、
レンズアレイを備え前記撮像装置に着脱可能な撮影レンズから、前記撮影レンズの情報を取得する取得ステップと、
撮影モードを設定する設定ステップと、
前記撮影レンズが装着されている場合に、レンズアレイと前記撮像素子との距離が前記撮影モードに応じた距離になるように、前記撮像素子を移動させる指示を行う制御ステップとを有し、
前記設定ステップでは、前記レンズアレイを構成する各レンズからの出射光が、前記撮像素子の２以上の所定の数の光電変換素子に入射されるように、前記レンズアレイと前記撮像素子との距離を制御することを特徴とする撮像装置の制御方法。
【請求項１５】
撮像装置が備えるコンピュータに、請求項１１から請求項１４のいずれか１項に記載の撮像装置の制御方法を実行させるためのプログラム。
【請求項１６】
前記レンズアレイからの出射光が入射する光電変換素子の出力からライトフィールド画像を生成可能であることを特徴とする請求項１に記載の撮像装置。
【請求項１７】
前記レンズアレイからの出射光が入射する光電変換素子の出力からリフォーカス可能な画像を生成可能であることを特徴とする請求項１に記載の撮像装置。
【請求項１８】
撮像装置と、
前記撮像装置に着脱可能な撮影レンズと、を有する撮像システムであって、
前記撮影レンズは光軸に沿って移動可能なレンズアレイを有し、
前記撮像装置は、
複数の光電変換素子が配列された撮像素子と、
レンズアレイを備え前記撮像装置に着脱可能な撮影レンズから、前記撮影レンズの情報を取得する取得手段と、
前記撮影レンズが装着されている場合に、前記撮影レンズの情報に基づいた前記レンズアレイと前記撮像素子との距離になるように、前記レンズアレイを移動させる指示を行う制御手段とを有し、
前記レンズアレイと前記撮像素子との距離は、前記レンズアレイを構成する各レンズからの出射光が、前記撮像素子の２以上の所定の数の光電変換素子に入射されるように決定されることを特徴とする撮像装置。
【請求項１９】
撮像装置と、
前記撮像装置に着脱可能な撮影レンズと、を有する撮像システムであって、
前記撮影レンズは光軸に沿って移動可能なレンズアレイを有し、
前記撮像装置は、
複数の光電変換素子が配列された撮像素子と、
レンズアレイを備え前記撮像装置に着脱可能な撮影レンズから、前記撮影レンズの情報を取得する取得手段と、
前記撮影レンズが装着されている場合に、前記撮影レンズの情報に基づいた前記レンズアレイと前記撮像素子との距離になるように、前記撮像素子を移動させる指示を行う制御手段とを有し、
前記レンズアレイと前記撮像素子との距離は、前記レンズアレイを構成する各レンズからの出射光が、前記撮像素子の２以上の所定の数の光電変換素子に入射されるように決定されることを特徴とする撮像装置。
【請求項２０】
複数の光電変換素子が配列された撮像素子を有する撮像装置に着脱可能なレンズアクセサリであって、
光軸に沿って移動可能なレンズアレイと、
前記撮像装置と通信する通信手段とを有し、
前記撮像装置に装着されている場合に、前記レンズアレイを構成する各レンズからの出射光が、前記撮像素子の２以上の所定の数の光電変換素子に入射されることを特徴とするレンズアクセサリ。
【請求項２１】
絞りと、
前記撮像装置に装着されている場合に、前記レンズアレイで隣接するレンズの出射光が前記撮像素子上において干渉しないように、前記絞りを制御する制御手段と、をさらに有することを特徴とする請求項２０に記載のレンズアクセサリ。
【請求項２２】
撮影レンズをさらに有することを特徴とする請求項２１に記載のレンズアクセサリ。
【手続補正２】
【補正対象書類名】明細書
【補正対象項目名】００１０
【補正方法】変更
【補正の内容】
【００１０】
上述の目的は、複数の光電変換素子が配列された撮像素子を有する撮像装置であって、レンズアレイを備え撮像装置に着脱可能な撮影レンズから、撮影レンズの情報を取得する取得手段と、撮影レンズが装着されている場合に、撮影レンズの情報に基づいたレンズアレイと撮像素子との距離になるように、レンズアレイもしくは撮像素子を移動させる指示を行う制御手段とを有し、レンズアレイと撮像素子との距離は、レンズアレイを構成する各レンズからの出射光が、撮像素子の２以上の所定の数の光電変換素子に入射されるように決定されることを特徴とする撮像装置によって達成される。